(57)【要約】【課題】記憶部の記憶容量の圧迫を抑制しつつ、ユーザーが確認し易い説明画面を表示できる表示装置を提供する。【解決手段】表示装置１は、記憶部４０と、画面形成部１１と、表示部２０とを備える。記憶部４０は、複数の画像を記憶する。画面形成部１１は、画像を組み合わせてユーザーに操作される操作画面２０ａを形成する。表示部２０は、操作画面２０ａを表示する。画面形成部１１は、要素画像を組み合わせて操作画面の操作方法を説明する説明画面２０ａをさらに形成する。表示部２０は、説明画面２０ａをさらに表示する。【選択図】図５
2016224532.tif 000002
【特許請求の範囲】
【請求項１】
複数の画像を記憶する記憶部と、
前記画像を組み合わせて、ユーザーに操作される操作画面を形成する画面形成部と、
前記操作画面を表示する表示部と
を備え、
前記画面形成部は、前記画像を組み合わせて前記操作画面の操作方法を説明する説明画面をさらに形成し、
前記表示部は、前記説明画面をさらに表示する、表示装置。
【請求項２】
前記画面形成部は、少なくとも前記操作画面を構成する前記画像を組み合わせて前記説明画面を形成する、請求項１に記載の表示装置。
【請求項３】
前記画像は、前記画像を強調させる強調画像を含み、
前記画面形成部は、前記説明画面に前記強調画像を重畳させる、請求項１または請求項２に記載の表示装置。
【請求項４】
ユーザーから指示を受け付ける指示受付部をさらに備え、
前記指示受付部が受け付けた指示に応じて、前記画面形成部は、前記画像を組み合わせて前記説明画面を形成する、請求項１から請求項３のいずれか１項に記載の表示装置。
【請求項５】
前記指示受付部は、前記表示部に前記説明画面を表示させる前記指示を受け付け、
前記指示受付部が前記指示を受け付けた後、前記画面形成部が前記説明画面を形成し、前記表示部が前記説明画面を表示する、請求項４に記載の表示装置。
【請求項６】
請求項１から請求項５のいずれか１項に記載の表示装置と、
用紙に画像を形成する画像形成部と
を備え、
前記表示装置の表示部には、前記画像形成部の機能の説明画面が表示される、画像形成装置。
【発明の詳細な説明】
【技術分野】
【０００１】
本発明は、表示装置、及び画像形成装置に関する。
【背景技術】
【０００２】
従来、搭載された機能を説明する説明画面を表示する画像形成装置が知られている。ユーザーは、説明画面を確認して、画像形成装置に搭載された機能の使用方法を理解する。説明画面には、画像形成装置の装置状態の違いに関わらず、代表例として１種類のガイダンス図が表示されている。
【０００３】
しかしながら、画像形成装置を使用するユーザーに応じて、画像形成装置に搭載される機能は異なる。従って、１種類のガイダンス図が示す内容と、実際にユーザーが操作する画像形成装置の操作画面とが異なり、ユーザーにとって画像形成装置に搭載された機能の使用方法を確認しづらい。そこで、特許文献１に開示された画像形成装置は、１種類のガイダンス図を表示するとともに、補助画像を表示部に表示させる。補助画像は、画像形成装置の装置状態に対応して、ガイダンス画像が表示する操作手順と、実際にユーザーが操作する画像形成装置の操作手順との違いを示す。
【先行技術文献】
【特許文献】
【０００４】
【特許文献１】特開２０１２−０６３４１５号公報
【発明の概要】
【発明が解決しようとする課題】
【０００５】
しかしながら、特許文献１に記載された画像形成装置に備えられる記憶部は、１種類のガイダンス図に表示される操作手順と異なる装置状態ごとに補助画像を記憶する必要がある。従って、特許文献１に記載された画像形成装置では、画像形成装置に備えられる記憶部の記憶容量が圧迫される。
【０００６】
本発明は、上記課題に鑑みてなされたものであり、記憶部の記憶容量の圧迫を抑制しつつ、ユーザーが確認し易い説明画面を表示できる表示装置及び画像形成装置を提供することを目的としている。
【課題を解決するための手段】
【０００７】
本発明の第１の観点によれば、表示装置は、記憶部と、画面形成部と、表示部とを備える。記憶部は、複数の画像を記憶する。画面形成部は、前記画像を組み合わせてユーザーに操作される操作画面を形成する。表示部は、前記操作画面を表示する。前記画面形成部は、前記画像を組み合わせて前記操作画面の操作方法を説明する説明画面をさらに形成する。前記表示部は、前記説明画面をさらに表示する。
【０００８】
本発明の第２の観点によれば、画像形成装置は、本発明の第１の観点による表示装置と、画像形成部とを備える。画像形成部は、用紙に画像を形成する。前記表示装置の表示部には、前記画像形成部が実行する機能の説明画面が表示される。
【発明の効果】
【０００９】
本発明によれば、記憶部の記憶容量の圧迫を抑制しつつ、ユーザーが確認し易い説明画面を表示できる。
【図面の簡単な説明】
【００１０】
【図１】本発明の実施形態１に係る表示装置を示す図である。
【図２】本発明の実施形態１に係る表示装置の表示部に表示される操作画面を示す。
【図３】本発明の実施形態１に係る表示装置の表示部に表示される説明選択画面を示す。
【図４】本発明の実施形態１に係る表示装置の表示部に表示される説明画面を示す。
【図５】本発明の実施形態１に係る表示装置が実行する説明画面表示制御を示すフローチャートである。
【図６】本発明の実施形態２に係る画像形成装置を説明するための模式的断面図である。
【発明を実施するための形態】
【００１１】
以下、本発明の実施形態について、図面を参照しながら説明する。なお、図中、同一または相当部分については同一の参照符号を付して説明を繰り返さない。
【００１２】
（実施形態１）
図１〜図４を参照して、本発明の実施形態１に係る表示装置１について説明する。図１は、表示装置１を示す。以下、表示装置１を搭載する画像形成装置を例に挙げて、表示装置１について説明する。画像形成装置は、複写機能を有し、原稿の画像を読取り、読み取った画像を用紙に印刷する。表示装置１は、制御部１０と、表示部２０と、記憶部４０とを備える。
【００１３】
記憶部４０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。主記憶装置は、制御部１０によって実行される種々のコンピュータープログラム及び複数の要素画像（画像）を記憶する。要素画像とは、画面を構成するパーツ画像のことである。なお、要素画像は、「オブジェクト」と呼ばれることもある。
【００１４】
制御部１０は、記憶部４０に格納されたコンピュータープログラムを実行することにより、表示装置１、ひいては表示装置１を搭載するは画像形成装置を制御する。制御部１０は、例えば、ＣＰＵ（Ｃｅｎｔｒａｌ  Ｐｒｏｃｅｓｓｉｎｇ  Ｕｎｉｔ）である。制御部１０は、画面形成部１１及び指示受付部１２を含む。指示受付部１２は、ユーザーから指示を受け付ける。指示受付部１２がユーザーから受け付ける指示は、例えば、表示装置１を起動させる指示である。指示受付部１２が受け付けた指示に応じて、画面形成部１１は、記憶部４０に記憶される複数の要素画像のうち、必要に応じた要素画像を組み合わせて画面を形成する。
【００１５】
図２は、表示部２０に表示される操作画面２０ａを示す。表示部２０は、画面形成部１１が形成した画面を表示する。図２に示す操作画面２０ａには、要素画像５１〜要素画像５６、要素画像６１〜６８、要素画像７０、及び要素画像７１が表示されている。ユーザーは、操作画面２０ａを操作することで、画像形成装置を操作する。表示部２０は、例えば、液晶ディスプレーである。例えば、指示受付部１２が表示装置１を起動させる指示を受け付けることに応じて、画面形成部１１は、複数の要素画像のうち、必要に応じた要素画像を組み合わせて操作画面２０ａを形成する。本実施形態において、画面形成部１１は、要素画像５１〜要素画像５６、要素画像６１〜６８、要素画像７０、及び要素画像７１を組み合わせて操作画面２０ａを形成し、表示部２０は、画面形成部１１が形成した操作画面２０ａを表示する。
【００１６】
要素画像５１〜要素画像５６は、表示部２０の下方に表示されている。要素画像５１〜要素画像５６は、例えばタブである。要素画像５１〜要素画像５６のそれぞれには、画像形成装置に搭載される機能が紐づけられている。ユーザーは、要素画像５１〜要素画像５６のいずれかを選択する。つまり、指示受付部１２は、ユーザーから要素画像５１〜要素画像５６のいずれかを選択する指示を受け付ける。指示受付部１２が受け付けた指示に応じて、画面形成部１１は、選択された要素画像５１〜要素画像５６のいずれかに紐づけられている機能を示す操作画面２０ａを形成し、表示部２０は、画面形成部１１が形成した操作画面２０ａを表示する。
【００１７】
図２に示す操作画面２０ａについて具体的に説明する。要素画像５１には、画像形成装置に搭載される機能のうち、ユーザーが任意に選択した機能が紐づけられている。要素画像５２には、印刷される用紙の仕上がりを設定する機能が紐づけられている。要素画像５３には、画像形成装置が印刷する画像の質を設定する機能が紐づけられている。画像の質は、例えば濃度、及び色合いである。
【００１８】
要素画像５４には、用紙に印刷される画像のレイアウトを設定する機能が紐づけられている。例えば、レイアウトを設定する機能では、用紙の両面に画像を印刷すること又は用紙に画像を拡大して印刷することを設定できる。要素画像５５には、応用機能を設定する機能が紐づけられている。応用機能は、例えば原稿の連続読み込み、又は白紙印刷である。要素画像５６には、ユーザーが任意に登録したプログラムが紐づけられている。ユーザーは、画像形成装置に搭載される機能を任意に組み合わせてプログラムとして画像形成装置に登録できる。
【００１９】
本実施形態において、ユーザーは要素画像５２を選択している。要素画像５２に紐づけられる機能は、要素画像６１〜要素画像６８に対応している。従って、指示受付部１２は、ユーザーから要素画像５２の選択を受け付け、画面形成部１１は、要素画像６１〜要素画像６８を組み合わせて操作画面２０ａを形成し、表示部２０は、画面形成部１１の形成した操作画面２０ａを表示している。
【００２０】
要素画像６１は、原稿の読み込みサイズを設定する機能に対応している。要素画像６２は、印刷したいサイズの用紙が保管されているカセットまたは手差しトレイを設定する機能に対応している。要素画像６３は、異なるサイズの原稿が混在している原稿の連続読み込みを設定する機能に対応している。要素画像６４は、原稿の読み込み方向を設定する機能に対応している。
【００２１】
要素画像６５は、印刷された用紙の折りを設定する機能に対応している。要素画像６６は、印刷される用紙の印刷単位を設定する機能に対応している。印刷単位とは、例えば、部数ごとの印刷する単位、またはページごとに印刷する単位のことである。要素画像６７は、印刷された用紙へのステープルを設定する機能、用紙にステープルする位置を設定する機能、及び用紙にパンチする位置を設定する機能に対応する。要素画像６８は、印刷された用紙の排出先のトレイを設定する機能に対応する。指示受付部１２が要素画像６１〜要素画像６８のいずれかの選択を受け付けると、表示部２０は、選択された要素画像６１〜要素画像６８に対応する機能を示す画面を表示する。
【００２２】
要素画像７１は、読み取った原稿の画像を表示部２０に表示させる機能に対応している。指示受付部１２は、要素画像７１の選択を受け付けると、要素画像７０として読み取った原稿の画像を表示部２０に表示させる。
【００２３】
図３は、表示部２０に表示される説明選択画面２０ｂを示す。説明選択画面２０ｂは、例えばヘルプ画面である。説明選択画面２０ｂには、画像形成装置に搭載される機能の一覧が表示される。図３に示す説明選択画面２０ｂには、要素画像８１〜要素画像８８及び要素画像９１〜要素画像９３が表示されている。表示部２０が図２に示す操作画面２０ａを表示している際に、指示受付部１２が説明選択画面２０ｂを表示する指示を受け付けると、画面形成部１１は、説明選択画面２０ｂを形成し、表示部２０は、画面形成部１１が形成した説明選択画面２０ｂを表示する。説明選択画面２０ｂを表示する指示は、例えば、ユーザーが表示部２０に表示されるヘルプボタン（図示せず）を選択すること、または表示装置１にハードウェアとして搭載されたヘルプボタン（図示せず）をユーザーが押下することである。
【００２４】
本実施形態において、画面形成部１１は、要素画像８１〜要素画像８８及び要素画像９１〜要素画像９３を組み合わせて説明選択画面２０ｂを形成する。表示部２０は、画面形成部１１が形成した説明選択画面２０ｂを表示する。
【００２５】
要素画像９１〜要素画像９３のそれぞれは、表示部２０の下方に表示されている。要素画像９１〜要素画像９３は、例えばタブである。要素画像９１〜要素画像９３のそれぞれには、画像形成装置に搭載される機能が紐づけられている。指示受付部１２は、ユーザーから要素画像９１〜要素画像９３のいずれかを選択する指示を受け付ける。指示受付部１２が受け付けた指示に応じて、画面形成部１１は、選択された要素画像９１〜要素画像９３のいずれかに紐づけられている機能を示す説明選択画面２０ｂを形成する。
【００２６】
図３に示す説明選択画面２０ｂについて具体的に説明する。要素画像９１には、コピー機能に関する設定項目が紐づけられている。要素画像９２には、印刷機能に関する設定項目が紐づけられている。要素画像９３には、送信機能に関する設定項目が紐づけられている。
【００２７】
本実施形態において、ユーザーは要素画像９１を選択している。要素画像９１に紐づけられる設定項目は、要素画像８１〜要素画像８８に対応している。従って、指示受付部１２は、ユーザーから要素画像９１の選択を受け付け、画面形成部１１は、要素画像８１〜要素画像８８を組み合わせて説明選択画面２０ｂを形成し、表示部２０は、画面形成部１１が形成した説明選択画面２０ｂを表示する。
【００２８】
要素画像８１〜要素画像８８のそれぞれは、操作画面２０ａを構成する要素画像６１〜要素画像６８に対応する。ユーザーが説明選択画面２０ｂに表示される要素画像８１〜要素画像８８、すなわち一覧から所望の機能を選択すると、画面形成部１１は、選択された要素画像８１〜要素画像８８のいずれかに対応する要素画像６１〜要素画像６８に対応する機能、すなわち、所望の機能を説明する説明画面２０ｃを形成する。表示部２０は、画面形成部１１が形成した説明画面２０ｃを表示する。
【００２９】
図４は、表示部２０に表示される説明画面２０ｃの一例を示す。説明画面２０ｃは、操作画面２０ａの操作方法を説明する。図４に示す説明画面２０ｃには、要素画像５１〜要素画像５６、要素画像６１〜要素画像６８、要素画像７０〜要素画像７４、及び操作画面２０ａの操作方法を説明する説明文が表示されている。表示部２０は、画面形成部１１が形成した説明画面２０ｃを表示する。本実施形態において、ユーザーは、説明選択画面２０ｂにおいて要素画像８７を選択した。従って、指示受付部１２は、ユーザーから要素画像８７の選択を受け付けた後、画面形成部１１は、ステープルを設定する機能を説明する説明画面２０ｃを形成し、表示部２０は、画面形成部１１が形成した説明画面２０ｃを表示する。
【００３０】
画面形成部１１は、操作画面２０ａを構成する要素画像を組み合わせて、操作画面２０ａの機能を説明する説明画面２０ｃを形成する。本実施形態において、画面形成部１１は、要素画像５１〜要素画像５６、要素画像６１〜要素画像６８、要素画像７０〜要素画像７４、及び説明文を組み合わせて説明画面２０ｃを形成する。つまり、画面形成部１１は、図２に示す操作画面２０ａを構成する要素画像を組み合わせて説明画面２０ｃを形成する。なお、本実施形態において、操作画面２０ａを構成する要素画像は、縮小された状態で説明画面２０ｃに組み合わされている。
【００３１】
要素画像７２は、実行ボタンである。すなわち、指示受付部１２が要素画像７２の選択を受け付けると、画面形成部１１は、説明画面２０ｃで説明している機能を表示する操作画面２０ａを形成し、表示部２０は、画面形成部１１が形成した操作画面２０ａを表示する。本実施形態において、説明画面２０ｃで説明されている機能は、要素画像５２に対応するタブに含まれる。従って、指示受付部１２が要素画像７２の選択を受け付けると、表示部２０は、図２に示す操作画面２０ａを表示する。
【００３２】
要素画像７３は、他の説明画面２０ｃを表示させるボタンである。指示受付部１２が要素画像７３の選択を受け付けると、画面形成部１１は、画像形成装置に搭載される機能の一覧を表示する説明選択画面２０ｂを形成し、表示部２０は、画面形成部１１が形成した説明選択画面２０ｂを表示する。
【００３３】
要素画像７４は、了承ボタンである。指示受付部１２が要素画像７４の選択を受け付けると、画面形成部１１は、説明画面２０ｃを表示する前の画面を形成し、表示部２０は、画面形成部１１の形成した画面を表示する。例えば、説明画面２０ｃを表示する前の画面が図３に示す説明選択画面２０ｂであれば、指示受付部１２が要素画像７４の選択を受け付けると、画面形成部１１は、説明選択画面２０ｂを形成し、表示部２０は、画面形成部１１が形成した説明選択画面２０ｂを表示する。一方、例えば、説明画面２０ｃを表示する前の画面が所定の画面であれば、指示受付部１２が要素画像７４の選択を受け付けると、表示部２０は、所定の画面を表示する。
【００３４】
記憶部４０に記憶される要素画像は、強調画像を含む。強調画像は、例えば、円形状の図形、又は手形状の画像である。画面形成部１１は、説明画面２０ｃに強調画像７５〜強調画像７７を重畳させる。強調画像７５〜強調画像７７のそれぞれは、説明画面２０ｃのうち、重畳された要素画像を強調する。具体的には、例えば、ユーザーが図２に示す操作画面２０ａにおいて、ステープル機能の設定を行う場合、要素画像５２を選択し、要素画像６７を選択する。従って、画面形成部１１は、要素画像５２に強調画像７７を重畳させ、要素画像６７に強調画像７５及び強調画像７６を重畳させる。その結果、ユーザーは、強調画像７５〜強調画像７７に強調されている要素画像５２及び要素画像６７を注視するため、ユーザーは、説明画面２０ｃに示される内容を理解し易い。
【００３５】
本実施形態によれば、説明画面２０ｃは、操作画面２０ａを構成する要素画像を組み合わせて形成される。従って、記憶部４０は、形成済みの説明画面２０ｃを記憶しない。その結果、形成済みの説明画面２０ｃを記憶することに起因した記憶部４０の記憶容量への圧迫が抑制される。
【００３６】
また、本実施形態によれば、説明画面２０ｃは、操作画面２０ａを構成する要素画像を組み合わせて形成される。従って、ユーザーは、実際に操作する操作画面２０ａを参照しつつ、画像形成装置の操作方法を確認できる。その結果、ユーザーは、画像形成装置に搭載される機能を確認し易い。
【００３７】
さらに、本実施形態によれば、説明画面２０ｃには、強調画像７５〜強調画像７７が重畳される。従って、ユーザーは、実際に操作する操作画面２０ａのうち強調画像７５〜強調画像７７に重畳された要素画像５２及び要素画像６７を注視し易い。その結果、ユーザーは、画像形成装置に搭載される機能をさらに確認し易い。
【００３８】
さらに、本実施形態によれば、指示受付部１２が説明画面２０ｃを表示させる指示を受け付けた後、画面形成部１１は説明画面２０ｃを形成させる。従って、画面形成部１１は、画像形成装置の状態に対応した説明画面２０ｃを形成できる。その結果、ユーザーは、画像形成装置の状態、例えば画像形成装置がトナー不足である状態に対応した説明画面２０ｃを参照して、画像形成装置に搭載される機能を確認できる。
【００３９】
図１〜図５を参照して、表示装置１が実行する説明画面表示制御について説明する。図５は、説明画面表示制御を示すフローチャートである。ステップＳ１０〜ステップＳ６０を実行することによって、表示部２０は、説明画面２０ｃを表示する。具体的には以下の通りである。
【００４０】
ステップＳ１０において、指示受付部１２は、説明選択画面２０ｂを表示する指示を受け付ける。ステップＳ２０において、画面形成部１１は、要素画像を組み合わせて説明選択画面２０ｂを形成する。ステップＳ３０において、表示部２０は、ステップＳ２０において画面形成部１１が形成した説明選択画面２０ｂを表示する。
【００４１】
ステップＳ４０において、指示受付部１２は、説明選択画面２０ｂを構成するいずれかの要素画像の選択を受け付ける。ステップＳ５０において、画面形成部１１は、ステップＳ４０で選択された要素画像に応じた説明画面２０ｃを形成する。ステップＳ５０において画面形成部１１には、必要に応じた要素画像を組み合わせて説明画面２０ｃを形成する。ステップＳ６０において、表示部２０は、ステップＳ５０において形成された説明画面２０ｃを表示する。
【００４２】
以上、図１〜図５を参照して説明したように、実施形態１によれば、操作画面２０ａ及び説明画面２０ｃは、記憶部４０に記憶される要素画像を組み合わせて形成される。従って、記憶部４０は、形成済みの操作画面２０ａ及び説明画面２０ｃを記憶しない。その結果、形成済みの操作画面２０ａ及び説明画面２０ｃを記憶することに起因した記憶部４０の記憶容量への圧迫が抑制される。
【００４３】
また、実施形態１によれば、画面形成部１１は、必要に応じた要素画像を組み合わせて説明画面２０ｃを形成する。従って、画面形成部１１は、ユーザーが実際に操作する操作画面２０ａを構成する要素画像を組み合わせて説明画面２０ｃを形成できる。その結果、ユーザーは、実際に操作する操作画面２０ａを参照しつつ、画像形成装置に搭載される機能の説明を確認できる。
【００４４】
さらに、実施形態１によれば、画面形成部１１は、指示受付部１２がユーザーから受け付けた指示に応じて説明画面２０ｃを形成する。その結果、画面形成部１１は、ユーザーの指示を反映させた説明画面２０ｃを形成できる。
【００４５】
（実施形態２）
図６を参照して、本発明の実施形態２に係る画像形成装置２について説明する。図６は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４６】
画像形成装置２は、制御部１０と、原稿搬送部１００と、画像読取部１１０と、収納部１２０と、搬送部１３０と、画像形成部１４０と、定着部１５０と、排出部１６０と、複数のファイルを記憶する記憶部１７０とを備える。用紙Ｔは、用紙搬送方向に沿って画像形成装置２の内部を搬送される。
【００４７】
制御部１０は、実施形態１に係る制御部１０として機能し、表示部２０は、実施形態１に係る表示部２０として機能し、記憶部４０は、実施形態１に係る記憶部４０として機能する。従って、画像形成装置２に備えられる制御部１０、表示部２０、及び記憶部４０は、実施形態１に係る表示装置１を構成する。
【００４８】
原稿搬送部１００は、画像読取部１１０に向けて原稿を搬送する。画像読取部１１０は、原稿の画像を読み取って画像データを生成する。収納部１２０は用紙Ｔを収納する。収納部１２０は、カセット１２１及び手差しトレイ１２３を含む。カセット１２１は用紙Ｔを積載する。用紙Ｔは、カセット１２１又は手差しトレイ１２３から搬送部１３０に送り出される。用紙Ｔは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００４９】
搬送部１３０は、画像形成部１４０に用紙Ｔを搬送する。画像形成部１４０は、感光体ドラム１４１、帯電部１４２、露光部１４３、現像部１４４、転写部１４５、クリーニング部１４６、及び除電部１４７を含み、用紙Ｔに画像を形成（印刷）する。画像形成部１４０の機能は、表示部２０に表示される。
【００５０】
画像の形成された用紙Ｔは定着部１５０に向けて搬送される。定着部１５０は、用紙Ｔを加熱及び加圧して、用紙Ｔに画像を定着させる。画像が定着された用紙Ｔは排出部１６０に向けて搬送される。排出部１６０は用紙Ｔを排出する。
【００５１】
記憶部１７０は、主記憶装置（例えば、半導体メモリー）及び補助記憶装置（例えば、ハードディスクドライブ）を含む。
【００５２】
制御部１０は、画像形成装置２の各要素を制御する。具体的には、制御部１０が、記憶部１７０に格納されたコンピュータープログラムを実行することにより、表示部２０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００５３】
以上、図６を参照して説明したように、実施形態２によれば、画像形成装置２は、実施形態１に係る表示装置１として機能する。従って、実施形態１と同様に、記憶部４０の記憶容量の圧迫を抑制しつつ、ユーザーが確認し易い説明画面２０ｃを表示できる。
【００５４】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５５】
（１）表示部２０は、タッチパネルであってもよい。この場合、ユーザーは、表示部２０に表示されている要素画像を接触して表示装置１を操作する。
【００５６】
（２）図２〜図４を参照して説明したように、表示部２０に表示されるモードを示す画像によって、選択されているモードをユーザーに確認させた。ただし、制御部１０が表示部２０に表示される内容、例えば表示部２０に表示される背景色を選択されているモードに応じて変更させることで、選択されているモードをユーザーに確認させてもよい。
【産業上の利用可能性】
【００５７】
本発明は、表示装置及び画像形成装置に関するものであり、産業上の利用可能性を有する。
【符号の説明】
【００５８】
１      表示装置
２      画像形成装置
１０    制御部
１１    画面形成部
１２    指示受付部
２０    表示部
２０ａ  操作画面
２０ｃ  説明画面
４０    記憶部
ＡＳ    ファイル選択領域
Ｔ      用紙
【図１】
2016224532.tif 000003
【図２】
2016224532.tif 000004
【図３】
2016224532.tif 000005
【図４】
2016224532.tif 000006
【図５】
2016224532.tif 000007
【図６】
2016224532.tif 000008